(57)【要約】記録キャリア上の情報ブロックを記録する方法と装置を説明する。装置は、記録された情報ブロックの位置を示す位置データを記録し読み出す制御手段を有する。制御手段は、情報ブロックが記録される領域を決定するマッピング部と、探知部を有する。領域は、記録可能エリアを構成する多数の連続的な領域の１つである。マッピング部は、マッピングエリアにおける単位位置にランダム信号単位を記録する。単位位置は、領域を示し、ランダム信号単位の単位長さは、情報ブロックの長さより小さい。探知ブロックは、マッピングエリアにおいて記録されたランダム信号単位の存在を探知し、領域が少なくとも１つの情報ブロックを含んでいるかどうかを決定する。マッピングエリアにおいて最も高い書き込まれた単位位置を探知し、その後、記録されたマークの存在に関して領域をサーチすることによって、最も高い書き込まれたアドレスは発見される。【特許請求の範囲】
【請求項１】
記録キャリア上の記録可能エリアにおけるトラックに少なくとも１つの情報ブロックを記録する装置であって、前記情報ブロックは、データワードと、前記情報ブロック内のエラーを訂正するエラー訂正ワードを含み、前記トラックは、前記情報ブロックを記録するための位置を示す実行された位置情報を持ち、前記情報ブロックを表すマークを記録する記録手段と、前記記録された情報ブロックの位置を示す位置データを記録し読み出す制御手段を有する前記装置において、
前記制御手段は：
前記情報ブロックが記録される領域を決定するマッピング手段であり、当該領域は、前記記録可能なエリアを構成する多数の連続的な領域の１つであり、前記記録キャリアのマッピングエリアにおける単位位置にランダム信号単位を記録するために、前記マッピングエリアにおける前記単位位置は、前記領域を示し、前記ランダム信号単位の単位長さは、前記情報ブロックの長さより実質的に小さいところのマッピング手段；および
前記記録されたランダム信号単位の存在を探知することによって、領域が少なくとも１つの情報ブロックを含んでいるかどうかを前記マッピングエリアから読み出す探知手段；
を有することを特徴とする装置。
【請求項２】
前記マッピングエリアは、前記領域の数に対応する単位位置の連続的な範囲を含み、前記マッピング手段は、前記記録領域内の前記領域の位置に対応し前記単位位置の連続的な範囲内にある位置に前記ランダム信号単位を記録するように構成されることを特徴とする請求項１に記載の装置。
【請求項３】
前記領域の各々のサイズは同じであるか、または、前記領域の各々のサイズは６４０の情報ブロックであることを特徴とする請求項２に記載の装置。
【請求項４】
前記制御手段は、前記記録キャリアから制御情報を読み出すように構成され、前記制御情報は、前記マッピングエリアをマッピングするために記録されるパラメータを示す被記録エリア管理情報を含むことを特徴とする請求項１に記載の装置。
【請求項５】
前記実行された位置情報は、フレーム長を持つアドレスフレームに符号化され、前記単位長さは当該フレーム長に実質的に等しいことを特徴とする請求項１に記載の装置。
【請求項６】
前記情報ブロックを記録するための位置は、連続的なアドレスを持ち、前記探知手段は、前記マッピングエリアから最も高い（ｈｉｇｈｅｓｔ）書き込まれた領域を探知し、その後、最も高い書き込まれたアドレスを探知することによって、当該最も高い書き込まれたアドレスを探知する手段であり、系統的なサーチ、特に、対数的サーチに従って、前記最も高い書き込まれた領域内のいくつかの位置におけるマークの存在を探知することによって前記最も高い書き込まれたアドレスを探知するところの当該手段を有することを特徴とする請求項１に記載の装置。
【請求項７】
前記制御手段は、前記記録キャリア上のＴＯＣゾーンに目録情報を増加的に記録する手段を有し、当該増加的な記録は、前記ＴＯＣゾーンの開始アドレスで開始され、前記マッピング手段は、前記ＴＯＣゾーンの終了アドレスから前記ＴＯＣ内の前記マッピングエリアを記録するように構成されることを特徴とする請求項１に記載の装置。
【請求項８】
前記探知手段は、前記最も高い書き込まれたアドレスＰＳＮの開始アドレスを、
ＰＳＮ＝（Ｅ＿ＴＯＣ−Ｌ＿ＭＡＰ）＊（Ｒ＿ＳＩＺＥ／Ｕ＿ＬＥＮ）＋Ｓ＿ＲＥＣＡ
によって計算する計算手段を有し、Ｅ＿ＴＯＣはＴＯＣゾーンの終了アドレスであり、Ｌ＿ＭＡＰは前記マッピングエリアにおける最も低い（ｌｏｗｅｓｔ）書き込まれた単位位置のアドレスであり、Ｒ＿ＳＩＺＥは前記領域の各々のサイズであり、Ｕ＿ＬＥＮは前記ランダム信号単位の前記単位長さであり、Ｓ＿ＲＥＣＡは前記記録可能エリアにおける最初の領域の開始アドレスであることを特徴とする請求項７に記載の装置。
【請求項９】
記録キャリア上の記録可能エリアにおけるトラックに少なくとも１つの情報ブロックを記録する方法であって、前記情報ブロックは、データワードと、前記情報ブロック内のエラーを訂正するためのエラー訂正ワードを含み、前記トラックは、前記情報ブロックを記録するための位置を示す実行された位置情報を含み、前記情報ブロックを表すマークを記録する段階と、前記記録された情報ブロックの位置を示す位置データを記録し読み出す段階を含む前記方法において、
前記方法は：
前記情報ブロックが記録される領域を決定し、前記記録キャリアのマッピングエリアにおける単位位置にランダム信号単位を記録する段階であり、当該領域は、前記記録可能エリアを構成する多数の連続的な領域の１つであり、前記マッピングエリアにおける前記単位位置は、前記領域を示し、前記ランダム信号単位の単位長さは、前記情報ブロックの長さよりも実質的に小さいところの段階；および
前記記録されたランダム信号単位の存在を探知することによって、領域が少なくとも１つの情報ブロックを含んでいるかどうかを前記マッピングエリアから読み出す段階；
を含むことを特徴とする方法。
【請求項１０】
少なくとも１つの情報ブロックを記録するための記録可能エリアにおけるトラックを有する記録キャリアであって、前記情報ブロックは、データワードと、前記情報ブロック内のエラーを訂正するためのエラー訂正ワードを含み、前記トラックは、前記情報ブロックを記録するための位置を示す実行された位置情報と、記録プロセスを制御するための実行された制御情報を持つところの前記記録キャリアにおいて、
前記制御情報は、前記情報ブロックが記録される領域を示すマッピングエリアをマッピングするために記録されるパラメータを示す被記録エリア管理情報を含み、前記領域は、前記記録可能エリアを構成する多数の連続的な領域の１つであり、前記マッピングエリアは、ランダム信号単位を記録するための単位位置を持ち、前記マッピングエリアの前記単位位置は、前記領域を示し、前記ランダム信号単位の単位長さは、前記情報ブロックの長さよりも実質的に小さいことを特徴とする記録キャリア。
【発明の詳細な説明】
【０００１】
本発明は、記録キャリア（ｒｅｃｏｒｄ  ｃａｒｒｉｅｒ）上の記録可能エリアのトラックに少なくとも１つの情報ブロックを記録する装置に関する。情報ブロックは、データワード、情報ブロック内のエラーを訂正するエラー訂正ワードを有する。トラックは、情報ブロックを記録するための位置を示す実行された位置情報を持つ。この装置は、情報ブロックを表すマークを記録する記録手段と、記録された情報ブロックの位置を示す位置データを記録し検索する・回収する・読み出す（ｒｅｔｒｉｅｖｅ）制御手段を持つ。
【０００２】
また、本発明は、記録キャリア上の記録可能エリアのトラックに少なくとも１つの情報ブロックを記録する方法に関する。情報ブロックは、データワード、情報ブロック内のエラーを訂正するエラー訂正ワードを有する。トラックは、情報ブロックを記録するための位置を示す実行された位置情報を持つ。この方法は、情報ブロックを表すマークを記録する段階と、記録された情報ブロックの位置を示す位置情報を記録し検索・読み出す段階を含む。
【０００３】
さらに、本発明は、少なくとも１つの情報ブロックを記録するための記録可能エリアのトラックを含む記録キャリアに関する。情報ブロックは、データワードと、情報ブロック内のエラーを訂正するためのエラー訂正ワードを含む。トラックは、情報ブロックを記録するための位置を示す実行された位置情報と、記録プロセスを制御するための実行された制御情報を持つ。
【０００４】
記録キャリア上の情報信号を記録する装置と方法は、米国特許第５，１２４，９６６号（ＰＨＮ１２８８７）から理解される。情報は、データワードと、情報ブロック内のエラーを訂正するためのエラー訂正ワードを有する情報ブロックにおいて符号化される。装置は、情報ブロックを表すマークを記録する記録手段を有する。少なくとも１つの情報ブロックの情報は、変調信号にするために変調され、実行されたトラック位置情報によって示される予め定義された位置でトラックに記録される。装置は、記録された情報ブロックの位置を示す位置データを記録キャリア上の特別エリアに記録し、検索・読み出す制御手段を持つ。一時的目録（ｔｅｍｐｏｒａｒｙ  ｔａｂｌｅ  ｏｆ  ｃｏｎｔｅｎｔｓ（ＴＯＣ））が、特別エリアに記録され、引き続き起こる情報信号の記録の間、検索・読み出しされる。一時的なＴＯＣは、記録された情報ブロックの位置を示す位置データを表す。情報信号が記録されるたびに、追加データが特別エリアに記録される。最後に記録された情報の実際の状態（ｓｔａｔｕｓ）を検索・読み出すために、特別エリアは、完全に読み取られなければならない。ＣＤ−Ｒのような追記型（ｗｒｉｔｅ  ｏｎｃｅ  ｔｙｐｅ）の記録キャリアの場合には、位置データを上書きする（ｏｖｅｒｗｒｉｔｅ）ことができないので、位置データの量は多くなる。
【０００５】
本発明の目的は、より大きな融通性および信頼性を持つ位置データを記録するシステムを提供することである。
【０００６】
米国特許第５，２９３，５６６号は、書き換え可能タイプの記録キャリアを記録する記録装置を説明している。ディスク制御領域に、最後に記録されたセクターのアドレスが、記録される。新たな情報信号が記録される度に、この領域が書き換えられる。従って、頻繁に書き換えられるディスク制御領域から情報を読み取ることが、記録キャリアのその部分の耐久性のために信頼性が無くなるかもしれない。従って、そのような方法は、追記型の記録キャリアに適切でない。
【０００７】
この目的のために、導入部で説明したような装置は、次のように特徴付けられる。制御手段は、情報ブロックが記録される領域を決定するマッピング手段を有する。領域は記録可能エリアを構成する多数の連続的な領域の１つである。記録キャリアのマッピングエリアにおける単位位置にランダム信号単位を記録するために、マッピングエリアにおける単位位置は、領域を示す。ランダム信号単位の単位長さは、情報ブロックの長さより実質的に小さい。制御手段は、記録されたランダム信号単位の存在を探知することによって、領域が少なくとも１つの情報ブロックを含むかどうかをマッピングエリアからの読み出す探知手段を有する。導入部で説明されたような方法は、次のように特徴付けられる。この方法は、情報ブロックが記録される領域を決定する段階を含む。領域は、記録可能エリアを構成する多数の連続的な領域の１つである。また、この方法は、記録キャリアのマッピングエリアにおける単位位置にランダム信号単位を記録する段階を含む。マッピングエリアにおける単位位置は、領域を示す。ランダム信号単位は、情報ブロックの長さよりも実質的に小さい。また、この方法は、記録されたランダム信号単位を探知することによって、領域が、少なくとも１つの情報ブロックを含むかどうかをマッピングエリアからの読み出す段階を含む。ランダム信号単位は、分っているおよび／または所定のパターンを含む値を持ってよいデータを表す信号部分（ｓｉｇｎａｌ  ｓｅｇｍｅｎｔ）を示す。これは、記録可能エリアに記録されたデータの量を探知するために、読み出しされる位置データの量が、多くともマッピングエリアのサイズを持つ。従って、記録リクエストに対する応答時間は、短くなる。
【０００８】
本発明は、次の認識に基づく。最初に、発明者は、記録リクエストに対する装置の応答時間の実質的な量が、読み取られる位置データの量に依存することが分った。第二に、発明者は、短いランダム信号単位を用いてマッピングエリアを記録することによって位置データの量を減少することが可能であることが分った。単位長さは、情報ブロックの長さよりも短い。従って、単位位置が記録されているという事実以外、または、ディスクの記録可能エリアにおける対応する位置の状態についての情報を与えないという事実以外は、記録されたランダム信号単位からは情報は読み出しされない。
【０００９】
本発明の第２の態様によると、導入部で説明したような記録キャリアは次のように特徴付けられる。制御情報は、マッピングエリアをマッピングするために記録されるパラメータを示す被記録エリア管理情報を含む。マッピングエリアは、情報ブロックが記録される領域を示す。領域は、記録可能エリアを構成する多数の連続的な領域の１つである。マッピングエアリアは、ランダム信号単位を記録するための単位位置を持っている。マッピングエリアにおける単位位置は、領域を示す。ランダム信号単位の単位長さは、情報ブロックの長さよりも実質的に小さい。装置の実施形態によると、制御手段は、記録キャリアから制御情報を読み出すように構成される。制御情報は、マッピングエリアをマッピングするために記録されるパラメータを示す被記録エリア管理情報を含む。これは、記録装置が、記録キャリアのタイプに依存してマッピングエリアから位置データを読み出しできるという利点を持つ。従って、記録キャリアの異なるタイプとマッピングエリアの異なる構成が、単一の記録装置で用いられることが可能である。
【００１０】
装置の実施形態によると、実行された位置情報がフレーム長を持つアドレスフレームに符号化される場合に、単位長さは、フレーム長に実質的に等しい。これは、単位位置が、アドレスフレームに対応し、従って、情報ブロックを読み取るために装置に関して既に要求されている回路を用いて単位位置が、容易に位置づけられ読み取られることが可能であるという利点を持つ。
【００１１】
本発明のこれらのまたは他の態様は、添付の図面を参照して以下で説明される例示的な実施形態を参照することによって明らかになるであろう。
【００１２】
図１ａは、トラック９と中心ホール１０を持つディスク型記録キャリア１１を示している。トラック９は、情報を表す一連の記録されたマークの位置であり、情報層上の実質的に平行なトラックを構成するターンの螺旋パターンに従って配置される。記録キャリアは、光学的に記録可能であり、光ディスクと呼ばれ、記録可能タイプの情報層を持つ。記録可能ディスクの例としては、ＣＤ−Ｒ、ＣＤ−ＲＷ、および、ＤＶＤ＋ＲＷのようなＤＶＤの書き込み可能バージョンがある。ＤＶＤディスクについてのさらなる詳細は、文献ＥＣＭＡ−２６７：１２０ｍｍＤＶＤ―Ｒｅａｄ−Ｏｎｌｙ  Ｄｉｓｃ−（１９９７）で説明されている。相変化材料（ｐｈａｓｅ  ｃｈａｎｇｅ  ｍａｔｅｒｉａｌ）における結晶性やアモルフォスのマークのようなトラックに沿った光学的に探知可能なマークを記録することによって情報が、情報層上で表現される。記録可能タイプの記録キャリア上のトラック９は、書き込みされていない記録キャリアの製造の間、エンボス加工が施されたトラック構造によって示される。例えば、スキャンの間、読み取り／書き込みヘッドがトラックを追従できるようにするプリグルーブ１４（ｐｒｅｇｒｏｏｖｅ）によって構成される。トラック構造は、通常は情報ブロックと呼ばれる情報の単位の位置を示すためのアドレスのような位置情報を含む。位置情報は、そのような情報ブロックの開始の位置を定める特別同期マークを含む。位置情報は、以下で説明される変調されたウォブル（ｗｏｂｂｌｅ）のフレームに符号化される。
【００１３】
図１ｂは、記録可能タイプの記録キャリア１１の図１ａのｂ−ｂ線に沿った横断面図である。透明基板１５に、記録層１６と保護層１７が設けられる。保護層１７は、さらなる基板層を有していてよい。例えば、ＤＶＤの場合には、記録層は、０．６ｍｍの基板に設けられ、この保護層の裏側に０．６ｍｍのさらなる基板が、結合される。プリグルーブ１４は、基板１５の材料のへこみ・くぼみ（ｉｎｄｅｎｔａｔｉｏｎ）または高い部分（ｅｌｅｖｅｔｉｏｎ）として実施されてよい。代わりには、プリグルーブ１４は、プリグルーブ１４を囲む部分と異なる材料特性として実施されてよい。
【００１４】
記録キャリア１１は、フレームを含む変調された信号によって表現される情報を運ぶ（ｃａｒｒｙ）ためのものである。フレームは、同期信号の後に来るデータの予め定義された量である。通常、そのようフレームは、パリティワードのようなエラー訂正コードを持つ。そのようなフレームの多くは、情報ブロックを構成する。情報ブロックは、さらなるエラー訂正コードを含む。情報ブロックは、最も小さい記録可能な単位であり、情報ブロックから情報が確実に読み出し・検索されることが可能である。そのような記録システムの例としては、ＤＶＤシステムがある。ＤＶＤシステムでは、フレームが１７２データワードと１０パリティワードを運び、２０８のフレームが１つのＥＣＣブロックを構成する。
【００１５】
記録キャリアの実施形態では、トラック９は、情報ブロックを記録する位置を示す実行された位置情報と、記録プロセスを制御する実行された制御情報を持つ。制御情報は、被記録領域管理情報を持つ。この被領域管理情報は、マッピングエリアをマッピングするために記録されるパラメータを示す。マッピングエリアは、情報ブロックが記録された領域を示す。マッピングエリアをマッピングするシステムは、装置と共に以下で説明される。被記録領域管理情報は、特定の記録キャリアのために使用されるシステムの特定パラメータを決定する。例えば、これらの特定パラメータは、マッピングエリアのサイズまたは領域のサイズである。
【００１６】
図２は、例えば、ＣＤ−ＲまたはＣＤ−ＲＷのような書き込み可能または書き換え可能なタイプの記録キャリア１１上に情報を書き込む記録装置を示す。装置には、記録キャリア上のトラックをスキャンする記録手段が設けられる。この記録手段は、記録キャリア１１を回転させるドライブ部２１、ヘッド２２、トラック上の半径方向にヘッド２２の位置決めを行う位置決め部２５、および、制御部２０を有する。ヘッド２２は、光学要素によって案内され記録キャリアの情報層のトラック上の放射スポット２３に集められる放射ビームを発生させる既知のタイプの光学システムを含む。放射ビーム２４は、例えば、レーザーダイオードのような放射源によって発生させられる。ヘッドは、さらに、放射ビーム２４の光軸に沿って放射ビーム２４の焦点を移動させるフォーカスアクチュエータ（図示せず）と、トラックの中央で半径方向にスポット２３の細かい位置決めのためのトラッキングアクチュエータを有する。トラッキングアクチュエータは、光学要素を半径方向に移動させるコイル有していてよく、または、反射要素の角度を変えるように構成されていてもよい。情報を書き込むために、記録層に光学的に探知可能なマークを作成するために、放射が制御される。読み取りのために、情報層によって反射された放射が、トラッキングアクチュエータやフォーカシングアクチュエータを制御するトラッキングエラー信号やフォーカシングエラー信号を含む読み取り信号やさらなる探知信号を発生させるヘッド２２において、例えば、４象限ダイオード（ｆｏｕｒ−ｑｕａｄｒａｎｔ  ｄｉｏｄｅ）のような普通のタイプの探知部によって探知されてよい。読み取られた信号は、情報を読み出すために変調部、ディフォーマッター（ｄｅｆｏｒｍａｔｔｅｒ）および出力部を含む普通のタイプの読み取り処理装置のよって処理される。従って、情報を読み取る読み出し手段は、ドライブ部２１、ヘッド２２、位置合わせ部２５および読み取り処理部３０を有する。装置は、ヘッド２２を駆動させる書き込み信号を発生させるために入力情報を処理する書き込み処理手段を有する。この書き込み処理手段は、入力部２７を有している。また、装置は、変調手段を有する。この変調手段は、フォーマッター（ｆｏｒｍａｔｔｅｒ）と変調部２９を含む。制御部２０は、情報の記録と読み出しを制御し、ユーザーまたはホストコンピュータからコマンドを受信するように構成されてよい。制御部２０は、例えば、システムバスのような制御ラインを介して入力部２７、フォーマッター２８、変調部２８、読み取り処理部３０、ドライブ部２１および位置合わせ部２５に接続される。制御部２０は、図３から７を参照して以下で説明される本発明の実施形態に従って手順と機能を実行するための制御回路（例えば、マイクロプロセッサ）、プログラムメモリおよび制御ゲートを有する。制御部２０は、論理回路における状態機械として実施されてもよい。書き込み動作の間、情報を表すマークは記録キャリア上に形成される。マークは、どんな光学的に読み取り可能な形式であってもよい。例えば、マークは、染材料（ｄｙｅ  ｍａｔｅｒｉａｌ）、合金材料、相変化（ｐｈａｓｅ  ｃｈａｎｇｅ）材料のような材料に記録を行うことによって得られる周りの部分と異なる反射率を持つ領域の形式であってよい。または、マークは、光磁気材料に記録を行うことによって得られる周りの部分と異なる磁化方向を持つ領域の形式であってもよい。光ディスク上での記録のための情報の書き込みと読み取り、使用可能フォーマット規則（ｆｏｒｍａｔｔｉｎｇ  ｒｕｌｅ）、エラー訂正符号化規則、および、チャネル符号化規則は、例えば、ＣＤシステムによってこの技術分野でよく知られている。通常はレーザーダイオードから発生させられる電磁放射ビーム２４によって記録層上に生成されるスポット２３を用いてマークを形成することが可能である。ユーザー情報は、アナログ音声および／または映像、または、ディジタルの圧縮されていない音声／映像のような入力信号のための圧縮手段を含んでよい入力部２７に与えられる。適切な圧縮手段が、音声に関してＷＯ９８／１６０１４−Ａ１（ＰＨＮ  １６４５２）に、映像に関してＭＰＥＧ２規格（ｓａｎｄａｒｄ）に説明されている。入力部２７は、情報の単位へ音声／映像を処理する。入力部２７が処理した音声／映像は、制御データを加え（以下で説明されるように）、記録フォーマットに従ってデータをフォーマット化するためにフォーマット部２８に伝達される。例えば、このフォーマット部２８において、エラー訂正コード（ＥＣＣ）が加えられ、および／または、インターリーブ（ｉｎｔｅｒｌｅａｖｉｎｇ）が行われる。コンピュータへの適用に関しては、情報の単位がフォーマット部２８へ直接、連結・接続される（ｉｎｔｅｒｆａｃｅｄ）。フォーマット部２８から出力されたフォーマット化されたデータは、変調部２９へ伝達される。変調部２９は、例えば、ヘッド２２を駆動する変調された信号を生成するチャネル符号化部を有する。また、変調部２９は、変調された信号に同期パターンを含ませる同期手段を含む。変調部２９の入力に与えられるフォーマット化された情報単位は、アドレス情報を含み、制御部２０の制御のもとに記録キャリア上の対応するアドレス可能位置（ａｄｄｒｅｓｓａｂｌｅ  ｌｏｃａｔｉｏｎｓ）に書き込まれる。装置は、制御部２０に接続されたマッピング部３１を持つマッピング手段と、制御部２０とマッピング部３１に接続された探知部３２を持つ探知手段を有する。マッピング部３１は，情報マーク、特に、ランダム信号単位、即ち、以下で説明されるアドレスフレームの長さを持つランダムデータの書き込み信号を書き込むために、変調部２９に接続された出力３３を持つ。探知部は、書き込まれたマークを探知するために、特に、トラックの書き込まれた部分がヘッド２２にスキャンされるときに生成されるＨＦ信号を探知するために、入力３４を有する。制御部２０は、記録された情報ブロックの位置を示す位置データを記録し、読み出すように構成される。マッピング部３１は、情報ブロックが記録される領域を決定するように構成される。その目的のために、記録キャリアは、領域に分割される（ｓｕｂｄｉｖｉｄｅｄ）。これらの分割された領域の各々は、記録可能エリアを構成する多数の連続的な領域のうちの１つの領域である。１の特定の領域において少なくとも１つの情報ブロックが記録されたことを決定・判断した後、マッピング部は、記録キャリアのマッピングエリアの単位位置にランダム信号単位を記録する。マッピングエリアは、記録エリアの状態についての情報（例えば、記録エリアのある部分が記録されてないかどうか）を管理するための記録キャリアのエリアである。マッピングエリアの単位位置は、前記特定の領域を指す。従って、単位位置が記録された場合には、この単位位置は、対応する領域が少なくとも１つの情報ブロックを含んでいることを示す。ランダム信号単位の単位長さは、情報ブロックの長さよりも相当に・実質的に（ｓｕｂｓｔａｎｔｉａｌｌｙ）小さいので、マッピングエリアに要求されるスペースの量は制限される。探知部３２は、特定の単位位置において記録されたランダム信号単位の存在を探知することによって、領域が少なくとも１つの情報ブロックを含んでいるかどうかをマッピングエリアからの読み出す。例えば、情報ブロックを記録するための位置が、連続するアドレスを持っており、最も高い書き込まれた単位位置が、記録エリアにおいて最も高い領域を示す。その後、探知手段は、マッピングエリアから最も高い書き込まれた領域を探知することによって、最も高い書き込まれたアドレスを探知し、系統的サーチ（ｓｙｓｔｅｍａｔｉｃ  ｓｅａｒａｃｈ）に従って最も高い書き込まれた領域内のいくつかの位置においてマークの存在を探知することによって、最も高い書き込まれたアドレスを探知する。そのようなサーチは、対数的サーチ（ｌｏｇａｒｉｔｈｍｉｃ  ｓｅａｒｃｈ）であってよい。対数的サーチでは、マークが存在するかどうかを検査するために、領域の残りの知られていない実質的に５０％の部分で反復的にアドレスが選択される。
【００１７】
装置の実施形態によると、マッピングエリアは、領域の数に対応する単位位置の連続的な範囲を持ち、マッピング手段は、記録エリア内の領域の部分に対応する単位位置の範囲内の位置にランダム信号単位を記録するように構成される。実用的な設計では、各領域のサイズは同じであり、例えば、各領域のサイズは、６４０の情報ブロックである。２５６の領域のような適切な数を用いて、記録キャリアの全体の記録エリアをカバーすることが可能である。
【００１８】
装置の実施形態によると、制御手段２０は、記録キャリアから制御情報を読み出すように構成される。制御情報は、実行された情報であり、例えば、プリグルーブのウォブルに符号化された情報である。また、制御情報は、記録プロセスを制御するパラメータを含む。制御情報は、マッピングエリアを管理するために記録されるパラメータを示す被記録エリア管理情報を含む。マッピング部３１と探知部３２は、被記録エリア管理情報で示されるパラメータによって値（例えば、マッピングエリアのサイズ）を指定するように設定・構成される。例えば、被記録エリア管理情報は、マッピングエリアの予め定義されたサイズを持つディスクの特定のタイプを示すディスクタイプ識別子を含んでよい。
【００１９】
記録キャリアの実施形態によると、実行された位置情報は、例えば、以下で説明されるＡＤＩＰフレームのようなフレーム長を持つアドレスフレームに符号化される。装置の実施形態によると、マッピング部は、単位長が実質的にフレーム長と等しくなるように、ランダム信号を書き込む。
【００２０】
装置の実施形態によると、制御手段は、記録キャリア上のＴＯＣゾーンに目録情報を増加的に記録するように構成される。この場合、増加的な記録は、ＴＯＣゾーンの開始アドレスで始まる。目録・ＴＯＣのためのフォーマットは、以下で説明される。マッピング手段３１は、ＴＯＣゾーンの終了アドレスからＴＯＣゾーン内のマッピングエリアを記録するように構成される。ＴＯＣゾーンにおいて最も高いアドレスで始まるように単位位置が用いられ、引き続くより低いアドレスを持つ単位位置を書き込むことによって引き続く領域のそれぞれが、示される。フォーマットに関しては、以下で詳細に説明される。単位位置は、記録されたエリア識別子と呼ばれる。装置の実施形態によると、探知手段３２は、次の式を用いて、最も高い書き込まれたアドレスＰＳＮを含む領域の開始アドレスを計算する計算手段を有する。
【００２１】
ＰＳＮ＝（Ｅ＿ＴＯＣ−Ｌ＿ＭＡＰ）＊（Ｒ＿ＳＩＺＥ／Ｕ＿ＬＥＮ）＋Ｓ＿ＲＥＣＡ
この式において、Ｅ＿ＴＯＣはＴＯＣゾーンの終了アドレスであり、Ｌ＿ＭＡＰはマッピングエリアにおける最も低い書き込まれた単位位置のアドレスであり、Ｒ＿ＳＩＺＥは各領域のサイズであり、Ｕ＿ＬＥＮはランダム信号単位の単位長であり、Ｓ＿ＲＥＣＡは記録可能エリアの最初の領域の開始アドレスである。実際の値は、以下で与えられる。
【００２２】
本発明に従った情報を記録するシステムの実際の実施形態は、次に説明されるシステムである。システムは、４．７ギガバイトと９．４ギガバイトの能力を持つ１２０ｍｍの読み取り可能光ディスクの機械的、物理的および光学的特徴を指定する。また、システムは、記録された信号と記録されていない信号の質、データのフォーマット、および、記録方法を指定し、これによって、そのようなディスクを用いてお互いの情報のやり取りを可能にする。データは、一旦書き込まれると、非反転的な方法（ｎｏｎ−ｒｅｖｅｒｓｉｂｌｅ  ｍｅｔｈｏｄ）で何回も読み取られる。これらのディスクは、ＤＶＤ＋Ｒとして識別される。トラックの形は、以下で説明される。情報ゾーンと呼ばれる記録可能ゾーンは、信号螺旋グルーブから構成されるトラックを含む。各トラックは、連続的な螺旋のうちの３６０度の１つのターンを構成する。記録は、グルーブに行われる。情報ゾーンにおけるトラックは、Ａｄｄｒｅｓｓ−ｉｎ−ＰｒｅｇｒｏｏｖｅまたはＡＤＩＰと呼ばれるアドレス情報を含むウォブルと呼ばれる中心線（ｎｏｍｉｎａｌ  ｃｅｎｔｒｅｌｉｎｅｓ）からの位相変調正弦偏差（ｐｈａｓｅ  ｍｏｄｕｌａｔｅｄ  ｓｉｎｕｓｏｉｄａｌ  ｄｅｖｉａｔｉｏｎ）。トラックは、情報ゾーンにおいて連続的であってよい。グルーブトラックは、２２．０ｍｍ最大限の半径から開始し、５８．５０ｍｍ最小限の半径で終了してよい。光学ヘッドから見て反時計回りにディスクが回転するときに、トラック経路は、内側（ｌｅａｄ−ｉｎ  Ｚｏｎｅの始まり）から外側（Ｌｅａｄ−ｏｕｔ  Ｚｏｎｅ）の終わりまで連続的な螺旋であってよい。トラックピッチは、隣接するトラックの中心線の間の半径方向に関して測定された距離である。トラックピッチは、０．７４μｍ±０．０３μｍであってよい。情報ゾーンにわたる平均トラックピッチは、０．７４μｍ±０．０１μｍであってよい。トラックのウォブルは、４．２６５６μｍ±０．０４５０μｍの波長を持つ中心線からの正弦偏差（３２チャネルビットに等しい）。ウォブル正弦波を生成する発振器の全体調和ゆがみ（Ｔｏｔａｌ  Ｈａｒｍｏｎｉｃ  Ｄｉｓｔｏｒｔｉｏｎ（ＴＨＤ））は、−４０ｄＢ以下であってよい。ウォブルはウォブルサイクルを反転する（ｉｎｖｅｒｔ）ことによって変調された相・フェーズであってよい。ウォブル変調に含まれる情報は、Ａｄｄｒｅｓｓ−ｉｎ−ＰｒｅｇｒｏｏｖｅまたはＡＤＩＰと呼ばれる。
【００２３】
図３は、ＡＤＩＰと情報ブロックの位置合わせを示している。ディスクに記録される情報ブロック３７の位置は、ウォブル３８において変調されるＡＤＩＰ情報に合わせられなければならない（位置合わせされなければならない（ａｌｉｇｎｅｄ））。９３の（９３個の）ウォブルは、情報ブロックの開始である２つの同期フレームに対応する。９３のウォブルのうち８のウォブルは、ＡＤＩＰ情報を用いて変調される。また、１のウォブルは３２チャネルビット（＝３２Ｔ）に等しく、１ＡＤＩＰ単位は、２同期フレームごとの８の変調されたウォブルに等しい。
【００２４】
図４は、ＡＤＩＰワード構造を示している。５２ＡＤＩＰ単位が、１ＡＤＩＰワードにグループ化される。これは、１ＡＤＩＰワードが、４×１３×２同期フレーム≡４つの物理的セクターに対応することを意味する。各ＡＤＩＰワードは、１ＡＤＩＰ同期単位＋５１ＡＤＩＰデータ単位から成る。ＡＤＩＰ同期単位＝ワード同期のための４つの反転されたウォブル＋４つの単調ウォブルである。ＡＤＩＰデータ単位＝ビット同期のための１つの反転されたウォブル＋３つの単調ウォブル＋１データビットを表す４つのウォブルである。
【００２５】
１ＡＤＩＰワードのデータビットに含まれる情報は、次のようなものである。
ビット１：  このビットは保存されゼロに設定されてよい。
ビット２から２３：  これらの２２ビットは、物理的アドレスを含む。データビット２が最も重要なビット（ＭＳＢ）であり、ビット２３が最も重要でないビット（ＬＳＢ）である。アドレスは、次のＡＤＩＰワードごとに１つずつ増加する。情報ゾーンの最初のアドレスは、物理的アドレス（００Ｃ０００）が、半径２４．０−０．２ｍｍから２４．０＋０．０ｍｍに位置するように設定されてよい。
【００２６】
ビット２４から３１：  これらの８ビットは、ディスクについての補助情報（例えば、記録制御情報）を含む。ディスクのデータゾーンとリードアウトゾーン（Ｌｅａｄ−ｏｕｔ  Ｚｏｎｅ）において、補助バイトが（００）に設定される。ディスクのリードインゾーン（ｌｅａｄ−ｉｎ  Ｚｏｎｅ）において、補助バイトが次のように用いられる。連続的な２５６ＡＤＩＰワードからのビット２４から３１は、２５６バイトの情報を持つ１のＡＤＩＰ  Ａｕｘ  Ｆｒａｍｅを形成してよい。各ＡＤＩＰ  Ａｕｘ  Ｆｒａｍｅの最初のバイトは、２５６の倍数である物理的アドレス（物理的アドレス＝（ｘｘｘｘ００））を持つ１ＡＤＩＰワードに位置してよい。２５６バイトの内容は、図７に定義されている。
【００２７】
ビット３２から５１：  これらの２０ビットは、ＡＤＩＰ情報のエラー訂正パリティを含む。
【００２８】
図５は、ＡＤＩＰエラー訂正構造を示す。ＡＤＩＰエラー訂正のために、ＡＤＩＰデータビットは４ビットニブル（ｎｉｂｂｌｅ）にグループ分けされる。データビットのニブルアレイへのマッピングは、図５に定義されている。ビット０は、エラー訂正のためにゼロに設定されるものとして考慮されるダミービットである。
【００２９】
５パリティニブルＮ８からＮ１２が剰余多項式Ｒ（Ｘ）（ｒｅｍａｉｎｄｅｒ  ｐｏｌｙｎｏｍｉａｌ）で定義されるニブルに基づくＲＳ（１３，８，６）コードが構築される。
【００３０】
【数１】
2004528668.tif 000002
ここで、αは、原始多項式Ｐ（ｘ）＝ｘ４+ｘ+１の原始根００１０である。５パリティニブルＮ８からＮ１２のすべてのビットが記録の前に反転させられる。
【００３１】
図６は、ＡＤＩＰ規則を示している。ＡＤＩＰ単位は、８ウォブルサイクルのいくつかを反転させることによって変調させられる。図６ａはＡＤＩＰワード同期の変調を示し、図６ｂはＡＤＩＰ  ＺＥＲＯビットの変調を示し、図６ｃはＡＤＩＰ  ＯＮＥビットの変調を示している。ここで、ＰＷは、ディスクの内側への移動を開始する正ウォブルである。ＮＷは、ディスクの外側への移動を開始する負ウォブルである。すべての単調ウォブルは、ＰＷとして示されている。
【００３２】
図７は、物理的ディスク情報のテーブルを示している。上述したように、物理的ディスク情報は、ＡＤＩＰに符号化される。この情報は、図７に示された２５６バイトを含んでよい。この物理的ディスク情報は、ディスク情報を含む。また、この物理的ディスク情報は、書き込みのための最適レーザー電力レベルを決定するために、最適電力制御（ＯＰＣ）アルゴリズムを含む。この情報は、ディスクの初期化のときに制御データと呼ばれる記録可能ゾーンにコピーされる。データコンテンツ・データ内容は、次のものを含む。
【００３３】
バイト０―ディスクカテゴリーとバージョン番号
ビットｂ７からｂ４：  これらのビットはディスクカテゴリーを指定してよい。これらのビットは、ＤＶＤ＋Ｒディスクを示す１０１０に設定されてよい。
ビットｂ３からｂ０：  これらのビットは、バージョン番号を指定してよい。これらのビットは、バージョンを示す００００に設定されてよい。
【００３４】
バイト１―ディスクサイズと最大転送率。
ビットｂ７からｂ４：  これらのビットは、ディスクサイズを指定してよい。これらのビットは、１２０ｍｍディスクを示す００００に設定されてよい。
ビットｂ３からｂ０：  これらのビットは、最大読み取り転送率を指定してよい。これらのビットは、最大読み取り転送率が指定されていないことを示す１１１１に設定されてよい。
【００３５】
バイト２―ディスク構造
ビットｂ７からｂ４：  ００００に設定されてよい。
ビットｂ３からｂ０：  記録層のタイプを指定してよい。これらのビットは、追記型記録層を示す００１０に設定されてよい。
【００３６】
バイト３−記録密度
ビットｂ７からｂ４：  これらのビットは、情報ゾーンにおける平均チャネルビット長を指定してよい。これらのビットは、０．１３３μｍを示す００００に設定されてよい。
ビットｂ３からｂ０：  これらのビットは、平均トラックピッチを指定してよい。これらのビットは、０．７４μｍの平均トラックピッチを示す００００に設定されてよい。
【００３７】
バイト４から１５−データゾーン割り当て
バイト４は、（００）に設定されてよい。
バイト５から７は、データゾーンの最初の物理的セクターのＰＳＮ１９６．６０８を指定するために（０３００００）に設定されてよい。
バイト８は、（００）に設定されてよい。
バイト９から１１は、データゾーンの最後の可能な物理的セクターとしてＰＳＮ２．４９１．７１１を指定するために（２６０５３Ｆ）に設定されてよい。
バイト１２から１５は、（００）にセットされてよい。
バイト１６は（００）に設定されてよい。
バイト１７から１８は保存され（ｒｅｓｅｒｖｅｄ）、（００）に設定されてよい。
【００３８】
バイト１９から２６−ディスク製造ＩＤ
これらの８バイトは、ディスクの製造業者を識別してよい。トレーリングバイト・立下りバイト（ｔｒａｉｌｉｎｇ  ｂｙｔｅｓ）は、使用されず（００）に設定されてよい。
【００３９】
バイト２７から２９−媒体タイプＩＤ（Ｍｅｄｉａ  ｔｙｐｅ  ＩＤ）
ディスク製造業者は、異なるタイプの媒体を持っている場合がある。媒体のタイプは、これらの３バイトで指定されてよい。ディスクの特定のタイプは、このフィールドで示される。
【００４０】
バイト３０−製品改訂番号
このバイトは、２値表示で製品改訂番号を識別してよい。製品改訂番号にかかわらず、同じディスク製造ＩＤと同じ製品番号を持つすべてのディスクは、同じ記録特性を持っていなければならない（重要度の低い相違のみ許容される）。製品改訂番号は、レコーダー・記録装置に関して無関係であってよい。使用されない場合には、このバイトは（００）に設定されてよい。
【００４１】
バイト３１−使用に関する物理的フォーマット情報バイト数
このバイトは、物理的フォーマット情報のための実際の使用に関するバイト数を示す１つの８ビット２値数（１つの８ビット２値で表現される数（ｏｎｅ  ８−ｂｉｔ  ｂｉｎａｒｙ  ｎｕｍｂｅｒ））を形成してよい。このバイトは、物理的フォーマット情報の最初の５４バイトだけが使用されることを示す（３６）に設定されてよい。
【００４２】
バイト３２−基準記録速度
このバイトは、ディスクの最も低い可能な記録速度を示す。この最も低い可能な記録速度は、基準速度と呼ばれる。
ｎ＝１０×ｖｒｅｆ（ｎを整数値に四捨五入する）
となるように数ｎが設定される。このバイトは、３．４９ｍ／ｓの基準書き込み速度を示す（２３）に設定されてよい。
【００４３】
バイト３３−最大記録速度
このバイトは、ディスクの最も高い可能な記録速度を示す。
ｎ＝１０×ｖｒｅｆ（ｎを整数値に四捨五入）
このバイトは、８．４４ｍ／ｓの最大書き込み速度を示す（５４）に設定されてよい。  バイト３４−波長λ指標
このバイトは、レーザーのナノメートルで表現される波長を指定してよい。この波長を用いて引き続くバイトにおける最適書き込みパラメータが決定される。数ｎは、
ｎ＝波長−６００
となるように設定されてよい。
【００４４】
バイト３５は保存される。
【００４５】
バイト３６−基準速度での最大読み取り電力Ｐｒ。
このバイトは、基準速度においてミリワットで表現される最大読み取り電力Ｐｒを数ｎとして指定してよい。この数ｎは、
ｎ＝２０×（Ｐｒ−０．７）
として設定されてよい。
【００４６】
バイト３７−基準速度でのＰＩＮＤ
ＰＩＮＤは、ＯＰＣアルゴリズムで用いられるＰｐｏの決定のための開始値である。このバイトは、
ｎ＝２０×（ＰＩＮＤ−５）のような数ｎとして基準速度でのミリワットで表現されるＰｐｏの表示値ＰＩＮＤを指定してよい。
【００４７】
バイト３８−基準速度でのβｔａｒｇｅｔ
このバイトは、βに関するターゲット値を指定してよい。このターゲット値は、
ｎ＝１０×βｔａｒｇｅｔ
のような数ｎとしてＯＰＣアルゴリズムで用いられる基準速度でのβｔａｒｇｅｔである。
【００４８】
バイト３９−最大速度での最大読み取り電力Ｐｒ
このバイトは、ｎ＝２０×（Ｐｒ−０．７）のような数ｎとして最大速度でのミリワットで表現される最大読み取り電力Ｐｒを指定する。
【００４９】
バイト４０−最大速度でのＰＩＮＤ
ＰＩＮＤは、ＯＰＣアルゴリズムで用いられるＰｐｏの決定のための開始値である。このバイトは、最大速度でのミリワットで表現されるＰｐｏの指示値ＰＩＮＤを
ｎ＝２０×（ＰＩＮＤ−５）
のような数ｎとして指定してよい。
【００５０】
バイト４１−最大速度でのβｔａｒｇｅｔ
このバイトは、βに関するターゲット値を指定してよい。このターゲット値は、
ｎ＝１０×βｔａｒｇｅｔ
のようなＯＰＣアルゴリズムにおいて使用される最大速度でのβｔａｒｇｅｔである。
【００５１】
バイト４２−基準速度での現在のマーク（≧４）のためのＴｔｏｐ（≧４）第１パルス継続期間
このバイトは、現在のマークが、基準速度での記録に関して４Ｔまたはこれより大きいマークである場合に、マルチパルストレイン（ｍｕｌｔｉ  ｐｕｌｓｅ  ｔｒａｉｎ）の第１パルスの継続時間を指定してよい。この値は、
ｎ＝１６×Ｔｔｏｐ／ＴＷ  かつ  ４≦ｎ≦４０
のような数ｎとしてチャネルビットクロック周期の部分で表現される。
【００５２】
バイト４３−基準速度での現在のマーク（＝３）に関するＴｔｏｐ（＝３）第１パルス継続時間
このバイトは、現在のマークが基準速度での記録に関して３Ｔマークである場合に、マルチパルストレインの第１パルスの継続時間を指定してよい。この値は、
ｎ＝１６×Ｔｔｏｐ／ＴＷ  かつ  ４≦ｎ≦４０
のような数ｎとしてチャネルビットクロック周期の部分で表現される。
【００５３】
バイト４４―基準速度でのＴｍｐマルチパルス継続時間
このバイトは、基準速度での記録に関してマルチパルストレインの第２パルスから最後のパルスまでに関して第２パルスの継続時間を指定してよい。この値は、
ｎ＝１６×Ｔｍｐ／ＴＷ  かつ  ４≦ｎ≦１６
のような数ｎとしてチャネルビットクロック周期の部分として表現される。
【００５４】
バイト４５−基準速度でのＴｌｐ最終パルス継続時間
このバイトは、基準速度での記録に関してマルチパルスの最終パルスの継続時間を指定してよい。この値は、
ｎ＝１６×Ｔｌｐ／ＴＷ  かつ  ４≦ｎ≦２４
のような数ｎとしてチャネルビットクロック周期の部分で表現されてよい。
【００５５】
バイト４６−基準速度でのｄＴｔｏｐ第１パルスリード時間・立ち上がり時間（ｌｅａｄ  ｔｉｍｅ）
このバイトは、基準速度に関するデータパルスの第２チャネルビットの立ち下がり時間（ｔｒａｉｌｉｎｇ  ｔｉｍｅ）に対するマルチパルストレインの第１パルスのリード時間・立ち上がり時間（ｌｅａｄ  ｔｉｍｅ）を指定してよい。この値は、
ｎ＝１６×ｄＴｔｏｐ／ＴＷ  かつ  ０≦ｎ≦２４
のような数ｎとしてチャネルビットクロック周期の部分で表現される。
【００５６】
バイト４７−基準速度での前回スペース（＝３）に関するｄＴｌｅ第１パルス立ち上がりエッジ訂正
このバイトのビット７からビット４は、前回スペース（ｐｒｅｖｉｏｕｓ  ｓｐａｃｅ）が、基準速度での記録に関して３Ｔスペースであった場合のマルチパルストレインの第１パルスのための立ち上がりエッジ訂正を指定する。この値は、図８に従ってチャネルビットクロック周期の部分で表現される。
【００５７】
バイト４８−最大速度での現在のマーク（≧４）に関するＴｔｏｐ（≧４）第１パルス継続時間
現在のマークが、最大速度での記録に関して４Ｔまたはこれより大きいマークである場合に、このバイトはマルチパルストレインの第１パルスの継続時間を指定する。この値は、
ｎ＝１６×Ｔｔｏｐ／ＴＷ  かつ  ４≦ｎ≦４０
のような数ｎとしてチャネルビットクロック周期の部分で表現される。
【００５８】
バイト４９−最大速度での現在のマーク（＝３）に関するＴｔｏｐ（３）第１パルス継続時間
現在のマークが、最大速度に関して３Ｔマークである場合に、このバイトは、マルチパルストレインの第１パルスの継続時間を指定してよい。この値は、
ｎ＝１６×Ｔｔｏｐ／ＴＷ  かつ  ４≦ｎ≦４０
のような数ｎとしてチャネルビットクロック周期の部分で表現される。
【００５９】
バイト５０−最大速度でのＴｍｐマルチパルス継続時間
このバイトは、最大速度での記録に関してマルチパルストレインの第２パルスから最終パルスまでに関して第２パルスの継続時間を指定してよい。この値は、
ｎ＝１６×Ｔｍｐ／ＴＷ  かつ  ４≦ｎ≦１６
のような数ｎとしてチャネルビットパルス周期の部分で表現される。
【００６０】
バイト５１−最大速度でのＴｌｐ最終パルス継続時間
このバイトは、最大速度での記録に関するマルチパルストレインの最終パルスの継続時間を指定してよい。この値は、
ｎ＝１６×Ｔｌｐ／ＴＷ  かつ  ４≦ｎ≦２４
のような数ｎとしてチャネルビットクロック周期の部分で表現される。
【００６１】
バイト５２−最大速度でのｄＴｔｏｐ第１パルスリード時間・立ち上がり時間
このバイトは、最大速度での記録に関するデータパルスの第２チャネルの立下りエッジに対するマルチパルストレインの第１パルスのリード時間・立ち上がり時間を指定してよい。この値は、
ｎ＝１６×ｄＴｔｏｐ／ＴＷ  かつ  ０≦ｎ≦２４
のような数ｎとしてチャネルビットクロック周期の部分で表現される。
【００６２】
バイト５３−最大速度での前回スペース（＝３）に関するｄＴｌｅ第１パルス立ち上がりエッジ訂正
前回スペースが、最大速度での記録に関して３Ｔスペースであった場合に、このバイトのビット７からビット４は、マルチパルストレインの第１パルスに関する立ち上がりエッジ訂正を指定する。値は、図８に従ってチャネルビットクロック周期の部分で表現される。
【００６３】
バイト５４から２５５
これらのバイトは、保存され、すべて（００）に設定されてよい。
【００６４】
図８は、立ち上がりエッジ訂正時間を示している。パラメータは、ｄＴｌｅと呼ばれ、バイト４７において図７と共に上で説明されている。このバイトのビット３からビット０は、００００に設定される。指定されないビットの組み合わせは、用いられなくてよい。
【００６５】
図９は、記録キャリアセクター番号付けを示している。記録可能エリアは、情報ゾーンと呼ばれる。情報ゾーンは、データのやり取りに関係するディスク上のすべてのデータを含む。情報ゾーンは、１以上のセッション（ｓｅｓｓｉｏｎ）を含んでよい。各セッションは、３つの部分に分割されてよい。即ち、リードイン／導入ゾーン（Ｌｅａｄ−ｉｎ／Ｉｎｔｒｏ  Ｚｏｎｅ）、データゾーンとリードアウト／終了ゾーン（Ｌｅａｄ−ｏｕｔ／Ｃｌｏｓｕｒｅ  Ｚｏｎｅ）に分割される。両側・両サイドディスクの場合には、一方の側に１つの情報ゾーンが存在する。データゾーンは、ユーザーデータの記録のために意図されている。リードインゾーンは、制御情報も含む。リードアウトゾーンは、連続するスムーズなリードアウトを可能にし、制御情報も含む。内側および外側ドライブエリアは、ディスク検査のためのものに意図されている。単一セッションディスクについて説明する。そのようなディスクの場合には、リードインゾーン、データゾーンおよびリードアウトゾーンは、非反転効果（ｎｏｎ−ｒｅｖｅｒｓｉｂｌｅ  ｅｆｆｅｃｔ）を用いて情報が記録される記録可能エリアを構成する。
【００６６】
図１０は、記録された信号セッションディスクのレイアウトを示している。単一サイドディスクおよび両サイドディスクの情報ゾーンは、内側ドライブエリア、リードインゾーン、データゾーン、リードアウトエリアおよび外側ドライブエリアに分割される。ゾーンの第１（または、最後の）トラックの中心の名目値によって、ゾーンに関する半径が示されている。各ゾーンの第１物理的セクターの物理的セクター番号（ＰＳＮｓ）がしめされている。データゾーンは、第１ＰＳＮ（０３００００）を持っていてよい。ＰＳＮｓは全体的な情報ゾーンにおける次の物理的セクターごとに１ずつ増加する。
【００６７】
図１１は内側ドライブエリアを示している。内側ドライブエリアは、ディスク検査とＯＰＣアルゴリズムを実行するために駆動装置に使用されるディスクの最も内側のゾーンである。各部分の第１物理的セクターと最終物理的セクターの物理的セクター番号は、１６進法と１０進法で示され、各部分の物理的セクターの番号は、１０進法で示される。次に分割を示す。
開始ゾーン：このゾーンは、ブランクのままである。
内側ディスク検査ゾーン：１６３８４の物理的セクターゾーンがドライブ検査とＯＰＣのためにとっておかれる。
内側ディスクカウントゾーン：４０９６の物理的セクターが、内側ディスク検査ゾーンにおいて実行されるＯＰＣアルゴリズムの回数をカウントするためにとっておかれる。内側ディスク検査ゾーンにおけるＥＣＣブロックまたはＥＣＣブロックの部分が、記録されるたびに、内側ディスクカウントゾーンにおいて４の物理的セクターを記録することによってフラッグが付加される（ｆｌａｇｇｅｄ）。
内側ディスク管理ゾーン：４０９６の物理的セクターが、選択的（ｏｐｔｉｏｎａｌ）駆動装置情報のために用いられる。このゾーンの最初の１６の物理的セクターは、（００）に設定されたすべてのメインデータセットで満たされる。内側ディスク管理ゾーンは、駆動装置識別情報・ドライブ識別情報（Ｄｒｉｖｅ  ＩＤ）のような駆動装置情報・ドライブ情報と、駆動装置製造業者によって定義されたデータを含む。
目録（ＴＯＣ）ゾーン：セッションの位置についての情報とディスク上の記録についての情報を保存するための４０９６の物理的セクターである。このゾーンの最初の１６の物理的セクターが、（００）に設定されたすべてのメインデータで満たされる。このゾーンは部分１と部分２の２つの部分から成る。
【００６８】
部分１は、すべての閉じられたセッション（Ｃｌｏｓｅｄ  Ｓｅｓｓｉｏｎ）を保存するために使用される１９１のＥＣＣブロック（ＴＯＣブロック）から成る。部分２は、１０２４の物理的セクターから成る。ここで、これらの物理的セクターは、４のセクターの単位（ｕｎｉｔ）でグループ分けされる。この単位は、１ＡＤＩＰワードに対応する。
【００６９】
図１２は、ＴＯＣブロックのフォーマットを示している。セッションが閉じられるたびに、最後の目録ブロック（ＴＯＣブロック）のすぐ後に続く目録ゾーンにおける次のＥＣＣブロックが、すべての閉じられたセッションの位置を用いて記録される。目録ゾーンにおける第１ＥＣＣブロックは、第２ＥＣＣブロックのための導入（ｒｕｎ−ｉｎ）として使用されなければならない。すべての１９１のＴＯＣブロックが使用された場合には、追加セッションをさらに加えることが可能である。しかしながら、駆動装置は、追加セッションを見つけるためにサーチ手順を適用しなければならない。図は、各物理的セクターに関するＴＯＣブロック（目録ブロック）のための次の内容を示している。
物理的セクター０／バイトＤ０からＤ３−内容記述部（ｃｏｎｔｅｎｔ  ｄｅｓｃｒｉｐｔｏｒ）
これらのバイトは、セッションＤＣＢを識別し、文字“ＳＤＣ”とバージョン番号０を表す（５４４Ｆ４３００）に設定されてよい。
物理的セクター０／バイトＤ４からＤ７−とっておかれ、（００）に設定されてよい。
物理的セクター０／バイトＤ８からバイトＤ３９−ドライブＩＤ（駆動装置ＩＤ）
これらのバイトは、駆動装置ＩＤを含んでよい。
物理的セクター０／バイトＤ４０からＤ６３−とっておかれ、（００）に設定されてよい。
物理的セクター０／バイト６４からＤ２０４７−セッション項目バイト。これらのバイトは、１６バイトの単位ごとにグループ分けされる。１６バイトの各単位は、図１３に従ってセッション項目を含むことができる。すべての使用されないバイトは、（００）に設定されてよい。
【００７０】
図１３は、項目を示している。ＴＯＣブロックは、ディスク上の閉じられたセッションの各々に関してセッション項目を含んでよい。セッション項目は、次のように数とアドレスが増加していく順番にされる。
バイトＢ０からＢ２：これらの３バイトは、項目のタイプを識別し、文字“ＳＳＮ”を表す（５３．５３．４Ｅ）に設定されてよい。
バイトＢ３：このバイトは、この項目において指定されるセッションのシーケンス番号を指定してよい。
バイトＢ４からＢ７：これらの４バイトは、この項目において指定されるセッションのデータゾーンでの最初の物理的セクターのＰＳＮを指定してよい。
バイトＢ８からＢ１１：これらの４バイトは、この項目において指定されるセッションのデータゾーンでの最後の物理的セクターのＰＳＮを指定してよい。
バイトＢ１２からＢ１５：これらの４バイトは、とっておかれ、（００）に設定されてよい。
【００７１】
図１４は、記録されたエリアインジケータを示している。ＴＯＣブロック６１を記録するためのＴＯＣゾーンの最後の部分が、概略的に示されている。マッピングエリア６０は、ＴＯＣゾーンの最後に位置している。次のゾーン、即ち、ガードゾーン６２は、右の最後に示されている。マッピングエリアは、最も高いアドレスで始まる。記録された部分６４は、記録可能領域の記録された領域を示し、記録されていない部分６４は、記録されていない領域を示している。ディスクへのアクセススピードを上げるために、レコーダーは、ディスクのどの領域で、最後に書かれたＥＣＣブロックが見つけられるかを知る必要がある。この目的のために、４つの物理的セクターのサイズを持つ記録された領域に基づいてマッピングエリアが定義される。これらの記録される領域の各々は、１ＡＤＩＰワードに対応する。これらのエリアは、ランダムＥＦＭ信号を用いて記録されてよい。記録されたＡＤＩＰワードの間での、ギャップ（ｇａｐ）は、許されない。この目的のために、１０２４の物理的セクターがとっておかれ、これにより、ディスクを最大２５６の領域に分割することが可能になる。記録される領域インジケータは、ＴＯＣゾーンの外側からＴＯＣゾーンの内側に向かって用いられてよい。“ＨＦ探知”によって、レコーダは、記録されたエリアインジケータの開始位置を知ることができ、最後の記録されたＥＣＣブロックが見つけられる領域を決定できる。ＰＳＮ＝（０３００００）とＰＳＮ＝（２６０５３Ｆ）の間の６４０のＥＣＣブロックの各領域は、１つの記録された領域インジケータに対応している。最後の記録された領域を含む最後の領域までのすべての領域は、これらの記録されたエリアインジケータによって示されてよい。数学的形式では、第１の記録されたエリアインジケータが、ＰＳＮＲＡＩからＰＳＮＲＡＩ+３を持つ物理的セクターを含む場合には、最後に記録されたＥＣＣブロックは、
ＰＳＮ＝｛（０２Ａ４７Ｃ）−（ＰＳＮＲＡＩ）｝×（Ａ０）＋（０３００００）｝と
ＰＳＮ＝｛（０２Ａ４７Ｃ）−（ＰＳＮＲＡＩ）｝×（Ａ０）＋（０３０２８０）｝
との間で、または、１０進法の場合には、
ＰＳＮ＝｛１７３１８０−ＰＳＮＲＡＩ｝×１６０＋１９６６０８と
ＰＳＮ＝｛１７３１８０−ＰＳＮＲＡＩ｝×１６０＋１９７２４８
との間で見つかる。
【００７２】
装置の実施形態によると、探知部３２は、マッピングエリアの検査されていない部分の５０％において検査アドレスでＨＦ信号を反復的に探知することによって、対数的にマッピングエリアのサーチを行うように構成される。ここで、マッピングエリアの各々は、連続的に記録される領域を示す単一の記録された部分を持つ。マークが検査アドレスで探知されない場合には、次の検査アドレスは、マッピングエリアの開始に向かう検査されていないアドレス範囲の５０％であり、この逆でもよい。最後の検査されていないアドレス範囲が非常に小さくなった場合には、対数的な位置へジャンプすることはより時間がかかるので、最後の検査されていないアドレス範囲を連続的に探知を行ってよい。同様なサーチプロセスを、領域内の最も高い書かれたアドレスを探知しるために、使用することが可能である。
【００７３】
図１５は、リードインゾーンを示している。リードインゾーンは、情報ゾーンの内側に位置している。初めて使用するディスクは、リードインゾーンにデータを持たない。ディスクのｆｉｎａｌｉｚａｔｉｏｎの後、または、第１セッションのｃｌｏｓｉｎｇの後、リードインゾーンは、以下のように記録される。図１５は、次のように、ゾーンとアドレスを示している（図１１のような表示法で）。
ガードゾーン１：ガードゾーンは、互換性のために要求されるリードインゾーンの最小量を作成するのに用いられる。このゾーンは、１４．８４８の物理的セクターを含み、これらのセクターのすべてが、（００）に設定されたメインデータで満たされている。
とっておかれるゾーン１：４０９６のゾーンがとっておかれ、（００）に設定されてよい。
とっておかれるゾーン２：６４の物理的セクターがとっておかれ、（００）に設定される。
内側ディスク識別ゾーン：２５６の物理的セクターが、データ交換パリティと合意・一致する（ａｇｒｅｅ  ｏｎ）情報のためにとっておかれる。１つのＥＣＣブロックからの１６の物理的セクターの各セットは、ディスク制御ブロック（ＤＣＢ）であるか、または、すべて（００）のメインデータで記録されている。すべて（００）のメインデータで記録されたＥＣＣブロックに続くこのゾーンにおける各ＥＣＣブロックは、すべて（００）のメインデータで記録されてもよい。
とっておかれるゾーン３：６４の物理的セクターがとっておかれ、（００）に設定されてよい。
基準コードゾーン：記録された基準コードゾーンは、ディスク上に特定のチャネルビットパターンを生成する２つのＥＣＣゾーンからの３２の物理的セクターから成っていてよい。これは、各々の対応するデータフレームのすべての２０４８メインデータバイトを（ＡＣ）に設定することによって達成可能である。また、各ＥＣＣブロックの第１データフレームの最初の１６０メインデータバイトを除いて、スクランブリング（ｓｃｒａｍｂｌｉｎｇ）はこれらのデータフレームに適用されなくてよい。
バッファーゾーン１：このゾーンは、３０のＥＣＣブロックからの４８０の物理的セクターから成っていてよい。このゾーンにおけるデータフレームのメインデータは、すべて（００）に設定される。
制御データゾーン：このゾーンは、１９２のＥＣＣブロックからの３０７２の物理的セクターから成っていてよい。各ブロックの１６の物理的セクターの内容は、１９２回繰り返される。
バッファーゾーン２：このゾーンは、３２のＥＣＣブロックからの５１２の物理的セクターから成っていてよい。このゾーンにおけるデータフレームのメインデータは、すべて（００）に設定されてよい。
【００７４】
図１６は、制御データブロックの構造を示している。最初の２０４８バイトが、物理的フォーマット情報を構成し、この物理的フォーマット情報の内容が、図７に示されている。次の２０４８バイトは、ディスク製造情報を構成する。最後の１４×２０４８バイトは、内容供給元情報（Ｃｏｎｔｅｎｔ  Ｐｒｏｖｉｄｅｒ  Ｉｎｆｏｒｍａｔｉｏｎ）のために利用可能である。装置の実施形態によると、内容供給元情報の２８．６７２バイトが、（００）に設定される。ホストから受信したデータは、ブロック・阻止されこのフィールドに記録されない。例えば、ＤＶＤビデオディスクの映像を復号するための復号鍵のような秘密性を有するデータが、記録されないようにする。物理的フォーマット情報は、ディスク情報とフォーマット情報を含む。バイト０から２５５における情報は、ディスクのｆｉｎａｌｉｚａｔｉｏｎのときにまたは第１セッションのｃｌｏｓｉｎｇのときに、ＡＤＩＰ補充データから複製されてよく、ディスクの実際の状態または第１セッションの状態（例えば、データゾーンの実際の終了）を反映してよい。すべての２５６バイトは、次のバイトの除いて図７で定義した物理的ディスク情報と同一の定義および同一の内容を持っている。
【００７５】
バイト０−ディスクカテゴリーとバージョン番号
ビットｂ７からｂ４は、ＤＶＤ+Ｒディスクを示すディスクカテゴリーを指定してよい。
ビットｂ３からｂ０は、システム記述のバージョン番号を指定してよい。
【００７６】
バイト１−ディスクサイズと最大転送率
ビットｂ７からｂ４は、ディスクサイズを指定してよく、１２０ｍｍディスクを示す００００に設定されてよい。
ビットｂ３からｂ０は、最大読み取り転送率を指定してよい。これらのビットは、ある適用に要求される最大読み取りスピードに依存して、次の値の１つに設定されてよい。
００００：２．５２メガビット／秒の最大転送率
０００１：５．０４メガビット／秒の最大転送率
００１０：１０．０８メガビット／秒の最大転送率
１１１１：最大転送率は指定されていない
すべての他の組み合わせが、とっておかれ、使用されないでよい。
【００７７】
バイト２−ディスク構造ビットｂ７からｂ４は、記録層のタイプを指定してよい。これらのビットは、追記型記録層を示す００１０に設定されてよい。
【００７８】
バイト４から１５−データゾーン割り当て
バイト４は（００）に設定されてよい。
【００７９】
バイト５から７は、データゾーンの第１物理的セクターのＰＳＮ１９６．６０８を指定するために（０３００００）に設定されてよい。
【００８０】
バイト８が、（００）に設定されてよい。
【００８１】
バイト９から１１は、第１セッションのデータゾーンの最後の物理的セクターのセクター番号を指定してよい。
【００８２】
バイト１２から１５は、（００）に設定されてよい。
【００８３】
バイト２５６から２０４７―とっておかれる
これらの残りのバイトは、ＡＤＩＰ情報との関連性がなく、（００）に設定されてよい。
【００８４】
図１７は、リードアウトゾーンを示している。上部に、ユーザーデータを記録するためのデータゾーンが示されている。データゾーンは、ユーザーデータエリアの２．２９５．１０４物理的セクターを持っている。データゾーンの開始半径は、ＡＤＩＰ物理的アドレス（００Ｃ０００）の位置によって決定される。データゾーンの後に、リードアウトゾーンが続く。リードアウトゾーンは、情報ゾーンの外側に位置している。図１７は、次の部分を示している。
【００８５】
バッファーゾーン３：この記録されたゾーンは、７６８の物理的セクターから成ってよい。バッファーゾーン３の最後の可能な開始位置は、（２６０５４０）である。このゾーンにおけるデータフレームのメインデータは、すべて（００）に設定されてよい。  外側ディスク識別ゾーン：２５６の物理的セクターが、データ交換パリティと同意・一致する情報のためにとっておかれる。１つのＥＣＣブロックからの１６の物理的セクターの各セットは、ディスク制御ブロック（ＤＣＢ）であるか、または、すべて（００）のメインデータで記録される。このゾーンの内容は、最後の内側セッション識別ゾーンの内容（または、単一セッションディスクの場合には、内側ディスク識別ゾーンの内容）と等価・同一であってよい。
【００８６】
ガードゾーン２：このガードゾーンは、検査書き込みゾーンをユーザーデータ含む情報ゾーンから分離するための保護として使用される。このゾーンは、（００）に設定されるメインデータで満たされてよい。このゾーンは、最小の４０９６の物理的セクターを含んでよい。
【００８７】
外側ドライブエリア：外側ドライブエリアは、ディスク検査とＯＰＣアルゴリズムを実行するために駆動装置に使用されるディスクの最も外側のゾーンである。図１８は、ガードゾーン２で始まる外側ドライブエリアを示している。次の部分が、示される。
【００８８】
外側ディスク管理ゾーン：４０９６の物理的セクターが、選択的駆動装置特有情報のために使用される。このゾーンの最初の１６物理的セクターは、すべて（００）に設定されたメインデータで満たされてよい。このゾーンは、内側ディスク管理ゾーンと同じ方法で使用されることが可能である。
【００８９】
外側ディスクカウントゾーン：４０９６の物理的セクターが、外側ディスク検査ゾーンにおいて実行されるＯＰＣアルゴリズムの回数をカウントするためにとっておかれる。
【００９０】
外側ディスク検査ゾーン：１６３８４の物理的セクターが、駆動検査とＯＰＣアルゴリズムのためにとっておかれる。外側ディスクゾーンにおけるＥＣＣブロックまたはＥＣＣブロックの部分が記録されるたびに、外側ディスクカウントゾーンにおける４つの物理的セクターを記録することによって、ＥＣＣブロックにフラグが付加される。
【００９１】
ガードゾーン３：このゾーンは、ブランクのままである。
【００９２】
本発明は、主にＤＶＤ+Ｒを用いて実施形態によって説明されたが、同様の実施形態が他の光学的記録システムに適切である。光学的ディスクとしての情報キャリアに関して、光学的ディスクが説明されたが、磁気ディスクや磁気テープのような他の媒体を用いてもよい。本明細書において、単語“含む・有する・から構成される”は、述べられている要素や段階以外の要素や段階の存在を除外しない。また、本明細書において述べられる単語は、単数を示すことに限定されず、複数の要素を意味していてもよい。さらに、本明細書において、どの参照符号も、特許請求の範囲を制限せず、本発明は、ハードウェアとソフトェア両方で実施されてもよい。いくつかの手段は、ハードウェアの同じ項目・アイテムによって表されてよい。さらに、本発明の範囲は、実施形態に限定されず、上述した新規な特徴の各々やこれらの特徴に存在していてよい。
【図面の簡単な説明】
【００９３】
【図１ａ】記録キャリアを示している（上面図）。
【図１ｂ】記録キャリアを示している（断面図）。
【図２】記録装置を示している。
【図３】ＡＤＩＰと情報ブロックの位置合わせを示している。
【図４】ＡＤＩＰワード構造を示している。
【図５】ＡＤＩＰエラー訂正構造を示している。
【図６】ＡＤＩＰ変調規則を示している。
【図７】物理的ディスク情報のテーブルを示している。
【図８】立ち上がりエッジ訂正時間を示している。
【図９】記録キャリアセクターの番号付けを示している。
【図１０】記録されたシングルセッションディスクのレイアウトを示している。
【図１１】内側ドライブエリアを示している。
【図１２】ＴＯＣブロックのフォーマットを示している。
【図１３】セッション項目を示している。
【図１４】記録されたエリアインジケータを示している。
【図１５】リードインゾーンを示している。
【図１６】制御データブロックの構造を示している。
【図１７】リードアウトゾーンを示している。
【図１８】外側ドライブエリアを示している。
【図３】
2004528668.tif 000003
【図４】
2004528668.tif 000004
【図５】
2004528668.tif 000005
【図６】
2004528668.tif 000006
【図７】
2004528668.tif 000007
【図８】
2004528668.tif 000008
【図９】
2004528668.tif 000009
【図１０】
2004528668.tif 000010
【図１１】
2004528668.tif 000011
【図１２】
2004528668.tif 000012
【図１３】
2004528668.tif 000013
【図１４】
2004528668.tif 000014
【図１５】
2004528668.tif 000015
【図１６】
2004528668.tif 000016
【図１７】
2004528668.tif 000017
【図１８】
2004528668.tif 000018
【国際公開パンフレット】
2004528668.tif 000019
2004528668.tif 000020
2004528668.tif 000021
2004528668.tif 000022
2004528668.tif 000023
2004528668.tif 000024
2004528668.tif 000025
2004528668.tif 000026
2004528668.tif 000027
2004528668.tif 000028
2004528668.tif 000029
2004528668.tif 000030
2004528668.tif 000031
2004528668.tif 000032
2004528668.tif 000033
2004528668.tif 000034
2004528668.tif 000035
2004528668.tif 000036
2004528668.tif 000037
2004528668.tif 000038
2004528668.tif 000039
2004528668.tif 000040
2004528668.tif 000041
2004528668.tif 000042
2004528668.tif 000043
2004528668.tif 000044
2004528668.tif 000045
2004528668.tif 000046
2004528668.tif 000047
2004528668.tif 000048
2004528668.tif 000049
2004528668.tif 000050
2004528668.tif 000051
2004528668.tif 000052
2004528668.tif 000053
2004528668.tif 000054
2004528668.tif 000055
2004528668.tif 000056
2004528668.tif 000057
2004528668.tif 000058
2004528668.tif 000059
【国際調査報告】
2004528668.tif 000060
2004528668.tif 000061